(57)【特許請求の範囲】
【請求項１】
車両の窓ガラスを昇降させるワイヤ式ウインドレギュレータにおいて、
上記窓ガラスの昇降方向に延びるガイドレール；
上記窓ガラスを支持し、上記ガイドレールに対して長手方向に摺動可能に支持されるスライダベース；
ドラムを回転可能に支持し、上記ガイドレールの一方の端部に嵌合する嵌合部を有するドラムハウジング；
上記ガイドレールの他方の端部に支持されるワイヤガイド；及び
上記ワイヤガイドにより案内されて上記ドラムと上記スライダベースを接続し、上記ドラムの回転に応じて上記スライダベースを上記ガイドレールに沿って移動させるワイヤ；
を有し、
上記ドラムハウジングの上記嵌合部は、
上記ガイドレールの端面が当接可能な当付面から突設される第１の突起；
上記当付面から突設され、上記第１の突起よりも上記当付面からの突出量が小さく、上記第１の突起との間に上記ガイドレールを挟んで、該ガイドレールの厚み方向への移動を規制する、上記ガイドレールの幅方向に離間して設けた一対の第２の突起；及び
上記第１の突起と一体に形成され、上記一対の第２の突起の間に位置して該第２の突起よりも上記当付面からの突出量が大きい中央突起；
を有し、
上記ガイドレールは、上記中央突起に嵌合する嵌合溝を有していることを特徴とするウインドレギュレータ。
【請求項２】
請求項１記載のウインドレギュレータにおいて、上記第１の突起は、
上記第２の突起よりも上記当付面からの突出量が大きい本体部と；
上記本体部と上記第２の突起の間に位置し、上記本体部よりも上記当付面からの突出量が小さい段部と；
を有しているウインドレギュレータ。
【請求項３】
請求項１または２記載のウインドレギュレータにおいて、上記ドラムハウジングは、上記当付面に上記ワイヤを挿通させるワイヤ挿通スリットを有しており、さらに上記当付面に隣接する側面に上記ワイヤ挿通スリットに連続するスリットを有しているウインドレギュレータ。
【請求項４】
車両の窓ガラスの昇降方向に延びるガイドレール；
上記窓ガラスを支持し、上記ガイドレールに対して長手方向に摺動可能に支持されるスライダベース；
ドラムを回転可能に支持し、上記ガイドレールの端面が当接可能な当付面を有するドラムハウジング；
上記ドラムと上記スライダベースを接続し、上記ドラムの回転に応じて上記スライダベースを上記ガイドレールに沿って移動させるワイヤ；
を有し、上記窓ガラスを昇降させるワイヤ式ウインドレギュレータの製造方法において、
上記ドラムハウジングの当付面上に、第１の突起と、上記第１の突起よりも当付面からの突出量が小さく、上記第１の突起に対して上記ガイドレールの厚み方向に離間して対向する第２の突起とを有する嵌合部を設けるステップ；
上記ガイドレールと上記ドラムハウジングの上記嵌合部が非嵌合の状態で、上記ガイドレールに支持された上記スライダベースと上記ドラムハウジングに支持された上記ドラムに対して上記ワイヤを弛緩した状態で接続させるステップ；
上記ドラムハウジングの上記嵌合部に対して、上記ガイドレールの端面をウインドレギュレータの完成状態と異なる向きで当接させ、該当接部分を支点として上記ガイドレールの角度を変化させながら上記ワイヤの張力を大きくさせるステップ；及び
上記ワイヤが張った状態で、上記第１の突起と上記第２の突起の間に上記ガイドレールを挟んで上記厚み方向への上記ガイドレールの移動を規制するステップ；
を有することを特徴とするウインドレギュレータの製造方法。
【請求項５】
請求項４記載のウインドレギュレータの製造方法において、
上記第１の突起は、
上記第２の突起よりも上記当付面からの突出量が大きい本体部と；
上記本体部と上記第２の突起の間に位置し、上記本体部よりも上記当付面からの突出量が小さい段部と；
を有し、
上記ガイドレールの端面を上記段部に当接させ、該段部を支点として上記ガイドレールの角度を変化させるウインドレギュレータの製造方法。
【請求項６】
車両の窓ガラスの昇降方向に延びるガイドレール；
上記窓ガラスを支持し、上記ガイドレールに対して長手方向に摺動可能に支持されるスライダベース；
ドラムを回転可能に支持し、上記ガイドレールの端面が当接可能な当付面を有するドラムハウジング；
上記ドラムと上記スライダベースを接続し、上記ドラムの回転に応じて上記スライダベースを上記ガイドレールに沿って移動させるワイヤ；
を有し、上記窓ガラスを昇降させるワイヤ式ウインドレギュレータの製造方法において、
上記ドラムハウジングの当付面上に、第１の突起と、上記第１の突起よりも当付面からの突出量が小さく、上記第１の突起に対して上記ガイドレールの厚み方向に離間して対向すると共に上記ガイドレールの幅方向に離間する一対の第２の突起と、上記第１の突起と一体に形成され、上記一対の第２の突起の間に位置して該第２の突起よりも上記当付面からの突出量が大きい中央突起とを有する嵌合部を設けるステップ；
上記中央突起に嵌合可能な嵌合溝を上記ガイドレールに設けるステップ；
上記ガイドレールと上記ドラムハウジングの上記嵌合部が非嵌合の状態で、上記ガイドレールに支持された上記スライダベースと上記ドラムハウジングに支持された上記ドラムに対して上記ワイヤを弛緩した状態で接続させるステップ；
上記ガイドレールと上記ドラムハウジングを、上記ガイドレールの長手方向に沿って上記ワイヤの張力を大きくさせる方向に相対移動させるステップ；
上記ガイドレールと上記ドラムハウジングを上記ガイドレールの厚み方向に相対移動させて、上記ガイドレールの端部に上記一対の第２の突起を乗り越えさせるステップ；及び
上記ワイヤが張った状態で、上記第１の突起と上記一対の第２の突起の間に上記ガイドレールを挟むと共に、上記嵌合溝と上記中央突起を嵌合させて、上記厚み方向への上記ガイドレールの移動を規制するステップ；
を有することを特徴とするウインドレギュレータの製造方法。
【発明の詳細な説明】
【技術分野】
【０００１】
本発明は、ワイヤ式のウインドレギュレータとその製造方法に関する。
【背景技術】
【０００２】
窓ガラスをワイヤ（ケーブル）で牽引して昇降駆動するワイヤ式のウインドレギュレータでは、完成状態でワイヤに張力がかかった状態になっている。そのため、完成状態での部材配置のままワイヤを配索することが作業上難しい。
【０００３】
特許文献１は、窓ガラスを保持するキャリアプレートをガイドレールに対して長手方向へ移動可能に支持し、ガイドレールの一端と他端にワイヤガイドとドラムを設け、ワイヤガイドに掛け回されてドラムとキャリアプレートを接続する上昇用ワイヤと、ワイヤガイドに掛け回されずにドラムとキャリアプレートを接続する下降用ワイヤを有するウインドレギュレータにおける生産性向上を図ったものである。ドラムを収納するドラムハウジングに、ガイドレールの長手方向の移動を許容し、かつガイドレールの長手方向に対する垂直方向への移動を規制するガイドレール収容部を設け、上昇用ワイヤと下降用ワイヤの取り付け時には、ガイドレールの長手方向におけるワイヤガイドとドラムの距離が小さくなるようにガイドレールとドラムハウジングの相対位置を設定し、各ワイヤの取り付け後に、ガイドレールの長手方向におけるガイドレールとドラムハウジングの相対位置を変化させてワイヤガイドとドラムの距離を大きくさせ、各ワイヤが張った状態にする。この状態で、ガイドレールの一部を爪状に折り曲げた（切り起こした）規制部を形成し、該規制部をドラムハウジングの端部に係合させることで、ワイヤガイドとドラムの距離を小さくさせる方向（ワイヤ張力が緩む方向）へのガイドレールとハウジングの相対移動を規制する。
【先行技術文献】
【特許文献】
【０００４】
【特許文献１】特開２０１１-２３１５５１号公報
【発明の概要】
【発明が解決しようとする課題】
【０００５】
特許文献１のウインドレギュレータは、ドラムハウジングのガイドレール収容部にガイドレールの端部を嵌合させる際に、ガイドレールの一部を折り曲げてハウジングに係合する規制部を形成する工程が加わるため、組み付け作業が煩雑になってしまう。
【０００６】
本発明は、製造時の作業性に優れるウインドレギュレータ及びウインドレギュレータ製造方法を提供することを目的とする。
【課題を解決するための手段】
【０００７】
本発明は、窓ガラスの昇降方向に延びるガイドレールと、窓ガラスを支持してガイドレールに対して長手方向に摺動可能に支持されるスライダベースと、ドラムを回転可能に支持するドラムハウジングと、ドラムとスライダベースを接続してドラムの回転に応じてスライダベースをガイドレールに沿って移動させるワイヤとを有するウインドレギュレータに関するものである。
【０００８】
本発明のウインドレギュレータの装置の態様では、ガイドレールの一方の端部を嵌合させるドラムハウジングの嵌合部が、ガイドレールの端面が当接可能な当付面から突設される第１の突起と、第１の突起よりも突出量を小さくして当付面から突設され、第１の突起との間にガイドレールを挟んで該ガイドレールの厚み方向への移動を規制する、ガイドレールの幅方向に離間する一対の第２の突起と、第１の突起と一体に形成され、一対の第２の突起の間に位置して該第２の突起よりも当付面からの突出量が大きい中央突起とを有し、中央突起に嵌合する嵌合溝をガイドレールに設けたことを特徴とする。
【００１０】
第１の突起は、第２の突起よりも当付面からの突出量が大きい本体部と、この本体部と第２の突起の間に位置し、本体部よりも当付面からの突出量が小さい段部とによって構成することも可能である。
【００１１】
ドラムハウジングは、ワイヤを挿通させるワイヤ挿通スリットを当付面に有しており、さらに、このワイヤ挿通スリットに連続するスリットを当付面に隣接する側面にも有していることが好ましい。
【００１２】
本発明のウインドレギュレータの製造方法の態様では、ガイドレールの端面が当接可能なドラムハウジングの当付面上に、第１の突起と、第１の突起よりも当付面からの突出量が小さく、第１の突起に対してガイドレールの厚み方向に離間して対向する第２の突起とを有する嵌合部を設けるステップと、ガイドレールとドラムハウジングの嵌合部が非嵌合の状態で、ガイドレールに支持されたスライダベースとドラムハウジングに支持されたドラムに対してワイヤを弛緩した状態で接続させるステップと、ドラムハウジングの嵌合部に対して、ガイドレールの端面をウインドレギュレータの完成状態と異なる向きで当接させ、該当接部分を支点としてガイドレールの角度を変化させながらワイヤの張力を大きくさせるステップと、ワイヤが張った状態で、第１の突起と第２の突起の間にガイドレールを挟んで厚み方向へのガイドレールの移動を規制するステップとを有することを特徴としている。
【００１３】
この製造方法では、第１の突起は、第２の突起よりも当付面からの突出量が大きい本体部と、本体部と第２の突起の間に位置して本体部よりも当付面からの突出量が小さい段部とを有しており、ワイヤの張力を大きくさせるステップにおいて、ガイドレールの端面を第１の突起の段部に当接させ、該段部を支点としてガイドレールの角度を変化させることが好ましい。
【００１４】
ウインドレギュレータの製造方法の別の態様では、ドラムハウジングの当付面上に、第１の突起と、第１の突起よりも当付面からの突出量が小さく、第１の突起に対してガイドレールの厚み方向に離間して対向すると共にガイドレールの幅方向に離間する一対の第２の突起と、第１の突起と一体に形成され、一対の第２の突起の間に位置して該第２の突起よりも当付面からの突出量が大きい中央突起とを有する嵌合部を設けるステップと、中央突起に嵌合可能な嵌合溝をガイドレールに設けるステップと、ガイドレールとドラムハウジングの嵌合部が非嵌合の状態で、ガイドレールに支持されたスライダベースとドラムハウジングに支持されたドラムに対してワイヤを弛緩した状態で接続させるステップと、ガイドレールとドラムハウジングをガイドレールの長手方向に沿ってワイヤの張力を大きくさせる方向に相対移動させるステップと、ガイドレールとドラムハウジングをガイドレールの厚み方向に相対移動させて、ガイドレールの端部に一対の第２の突起を乗り越えさせるステップと、ワイヤが張った状態で、第１の突起と一対の第２の突起の間にガイドレールを挟むと共に、嵌合溝と中央突起を嵌合させて、厚み方向へのガイドレールの移動を規制するステップとを有することを特徴としている。
【発明の効果】
【００１５】
本発明のウインドレギュレータ及びその製造方法によれば、ドラムハウジングの嵌合部に当付面からの突出量が異なる第１の突起と第２の突起を備え、この第１の突起と第２の突起の間にガイドレールを挟んで厚み方向への移動を規制することによってドラムハウジングとガイドレールの嵌合状態を得るため、ドラムハウジングとガイドレールの組み付け作業を簡単に行うことができ、ウインドレギュレータの製造作業性が向上する。さらに一対の第２の突起の間に位置する中央突起をドラムハウジングの嵌合部に設け、中央突起に対してガイドレールの嵌合溝を嵌合させることで、ウインドレギュレータの製造作業性をより一層向上させることができる。
【図面の簡単な説明】
【００１６】
【図１】本発明を適用した第１の実施形態のウインドレギュレータの斜視図である。
【図２】同ウインドレギュレータの分解斜視図である。
【図３】図１のIII−III線に沿う断面図である。
【図４】ドラムハウジングとガイドレールの結合部分を示す斜視図である。
【図５】ドラムハウジングの嵌合部付近とガイドレールの下端部付近を示す分解斜視図である。
【図６】第１の実施形態におけるドラムハウジングとガイドレールの組み付け途中を示す結合部分の斜視図である。
【図７】図６の状態におけるドラムハウジングとガイドレールの結合部分の側面図である。
【図８】図７の状態からドラムハウジングに対してガイドレールを引き起こしている途中の側面図である。
【図９】図８の状態からドラムハウジングに対するガイドレールの引き起こしが完了した段階を示す側面図である。
【図１０】ドラムハウジングに対するガイドレールの嵌合が完了した段階を示す側面図である。
【図１１】第２の実施形態におけるドラムハウジングの嵌合部付近とガイドレールの下端部付近を示す分解斜視図である。
【図１２】第２の実施形態におけるドラムハウジングとガイドレールの組み付け工程を示す側面図である。
【図１３】第２の実施形態におけるドラムハウジングとガイドレールの組み付け工程を示す側面図である。
【図１４】第２の実施形態におけるドラムハウジングとガイドレールの組み付け工程を示す側面図である。
【図１５】第２の実施形態でドラムハウジングとガイドレールの嵌合が完了した状態を示す側面図である。
【発明を実施するための形態】
【００１７】
図１に示すウインドレギュレータ１０は、ガイドレール１１と、ガイドレール１１の長手方向に可動に支持されるスライダベース１２と、ガイドレール１１の長手方向の一端部付近に支持されたワイヤガイド１３と、ガイドレール１１の長手方向の他端部側に接続されたドラムハウジング１４と、ドラムハウジング１４内に回転可能に支持されたドラム１５（図２、図３）と、ドラム１５を回転駆動させる駆動部１６と、スライダベース１２に対して正逆方向の牽引力を与える第１ワイヤ１７及び第２ワイヤ１８を有する。
【００１８】
ガイドレール１１は、金属等の板状材から形成した長尺材であり、中央面１１ａとその両側の一対の側面１１ｂによってコ字状断面を形成し、さらに一対の側面１１ｂから側方へ突出する一対のフランジ１１ｃを有している。ガイドレール１１にはブラケット２０、２１が取り付けられ、完成状態のウインドレギュレータ１０が、車両用ドアを構成するインナパネル（不図示）に対してブラケット２０、２１を介して固定される。このときガイドレール１１は窓ガラスの昇降方向（上下方向）に長手方向を向けて設置され、ワイヤガイド１３を支持する端部が上側、ドラムハウジング１４に接続する端部が下側となる。これに対応して、ガイドレール１１のうちワイヤガイド１３を支持する側の端部を上端部、ドラムハウジング１４に接続する端部を下端部と呼ぶ。また、中央面１１ａの横幅方向（一対の側面１１ｂ最短距離で結ぶ方向）をガイドレール１１における幅方向と呼び、中央面１１ａの厚み方向をガイドレール１１における厚み方向と呼ぶ。ガイドレール１１の中央面１１ａの下端部の幅方向中央には、ガイドレール１１の長手方向に沿って切り欠かれた嵌合溝１１ｄが形成されている。嵌合溝１１ｄは、ガイドレール１１の下端部側に開放された長溝である。
【００１９】
スライダベース１２は、図示を省略する窓ガラスを支持しており、ガイドレール１１のフランジ１１ｂに対して、該ガイドレール１１の長手方向に摺動可能に嵌合する。ワイヤガイド１３は、ガイドレール１１の上端部付近に設けられる支持軸２５（図２）に対して回転可能に支持されており、外周部分にガイド溝１３ａを有する。なお、回転部材でなくガイドレール１１に対して固定された部材としてワイヤガイド１３を構成することも可能である。
【００２０】
図３に示すように、ドラムハウジング１４に形成した凹部１４ａ内にドラム１５が回転可能に支持されている。凹部１４ａからドラムハウジング１４の外面に連通するワイヤ挿通スリット１４ｂ（図１、図２、図４、図５）が形成されている。ワイヤ挿通スリット１４ｂは、ドラムハウジング１４の上面（後述する嵌合部３０の当付面３０ａ側）に開口する上面側のスリット部分と、この上面に隣接するドラムハウジング１４の側面（図４及び図５に見えている側の面）に開口する側面側のスリット部分とを連続した形状になっており、ワイヤ挿通スリット１４ｂには第１ワイヤ１７が挿通される。図には表れていないが、ドラムハウジング１４にはさらに第２ワイヤ１８を挿通させるワイヤ挿通スリットが形成されている。このワイヤ挿通スリットは、ドラムハウジング１４のうち図１、図２、図４、図５には見えていない側の側面に開口している。ドラム１５の外周面には螺旋状のワイヤ巻取り溝１５ａが形成されている。ドラム１５の中心に形成した回転伝達孔１５ｂに対して、駆動部１６に設けた駆動軸１６ａが嵌合しており、駆動部１６に設けたモータ２２の駆動力で駆動軸１６ａを回転させることによってドラム１５を正逆に回転させることができる。駆動部１６は、固定ビス２３（図２）を用いてドラムハウジング１４に固定される。
【００２１】
第１ワイヤ１７は、中間部分がワイヤガイド１３のガイド溝１３ａに掛け回されており、ワイヤガイド１３からガイドレール１１に沿って下方に延びる一対の部分のうち一方の端部がドラム１５に接続している。第１ワイヤ１７の他方の端部には、エンドキャップにコイルバネを取り付けた構造のエンド部１７ａが設けられており、このエンド部１７ａがスライダベース１２のワイヤ接続部１２ａに接続している。第２ワイヤ１８は、一方の端部がドラム１５に接続し、他方の端部に第１ワイヤ１７のエンド部１７ａと同様の構造のエンド部１８ａが設けられている。第２ワイヤ１８のエンド部１８ａは、第１ワイヤ１７のエンド部１７ａとは反対側から（すなわち下方から）スライダベース１２のワイヤ接続部１２ａに接続している。このようにドラム１５とスライダベース１２に接続した状態で、第１ワイヤ１７と第２ワイヤ１８にはそれぞれ張力が付与され、この張力は各ワイヤ１７、１８が延設されるガイドレール１１の長手方向に沿って作用する。第１ワイヤ１７はワイヤ挿通スリット１４ｂを通して、第２ワイヤ１８は不図示のワイヤ挿通スリットを通して、それぞれドラムハウジング１４の凹部１４ａ内に挿入されており、該凹部１４ａ内のドラム１５の回転によってワイヤ巻取り溝１５ａへの巻き掛け量が変化する。ワイヤ巻取り溝１５ａへの第１ワイヤ１７の巻き掛け量が多くなる方向にドラム１５を回転させると、第１ワイヤ１７に牽引されてスライダベース１２がワイヤガイド１３に近づく方向（上方）に移動する。逆にワイヤ巻取り溝１５ａへの第２ワイヤ１８の巻き掛け量が多くなる方向にドラム１５を回転させると、第２ワイヤ１８に牽引されてスライダベース１２がドラムハウジング１４に近づく方向（下方）に移動する。
【００２２】
ドラムハウジング１４は、ガイドレール１１の下端部を嵌合させる嵌合部３０を有する。図４ないし図６に示すように、嵌合部３０は、上方を向く当付面３０ａ上に、角突起（第１の突起）３０ｂ、中央抜止突起（中央突起）３０ｃ、支点突起（第１の突起、段部）３０ｄ、両側抜止突起（第２の突起）３０ｅを備えている。角突起３０ｂは、ガイドレール１１の一対の側面１１ｂの間に挟まれる横幅を有しており、角突起３０ｂの両側面と一対の側面１１ｂとの当接によって、ガイドレール１１の幅方向への移動を規制する。角突起３０ｂはまた、ガイドレール１１の中央面１１ａに対向する規制面３０ｆを有している。中央抜止突起３０ｃは角突起３０ｂよりも幅狭であり、角突起３０ｂの規制面３０ｆにおける幅方向の略中央から該規制面３０ｆと略垂直な方向に突出している。支点突起３０ｄと両側抜止突起３０ｅはそれぞれ中央抜止突起３０ｃを挟んで一対が形成されており、当付面３０ａからの突出量が中央抜止突起３０ｃよりも小さい（高さが低い）。各支点突起３０ｄと各両側抜止突起３０ｅは互いの間に嵌合溝３０ｇを挟んで離間しており、両側抜止突起３０ｅよりも支点突起３０ｄが角突起３０ｂに近い（規制面３０ｆに隣接する）位置にある。また、角突起３０ｂの上部と中央抜止突起３０ｃの上部の間に嵌合溝３０ｈが形成されている。
【００２３】
嵌合溝３０ｇと嵌合溝３０ｈはそれぞれガイドレール１１の中央面１１ａを挿入可能な溝幅を有している。図１０に示すように、嵌合溝３０ｇ内にガイドレール１１の中央面１１ａの下端部を嵌合させることにより、ガイドレール１１は、両側抜止突起３０ｅと支点突起３０ｄによる制限を受けて中央面１１ａの厚み方向への移動が規制される。このとき、中央面１１ａのうち嵌合溝１１ｄの上方の一部が嵌合溝３０ｈに嵌合し、中央抜止突起３０ｃと角突起３０ｂの間に挟まれることによっても中央面１１ａの厚み方向へのガイドレール１１の移動が規制される（図３参照）。この嵌合溝３０ｇと嵌合溝３０ｈへのガイドレール１１の嵌合状態では、嵌合溝１１ｄよって中央抜止突起３０ｃと中央面１１ａの相互干渉が防がれる。
【００２４】
以上のように構成されるウインドレギュレータ１０は、次のように組み立てられる。まず、ガイドレール１１に対して、スライダベース１２を摺動可能に支持させると共に、支持軸２５を介してワイヤガイド１３を軸支させる。第１ワイヤ１７と第２ワイヤ１８はそれぞれ、図１に示すウインドレギュレータ１０の完成状態で適切な張力を有するように長さを設定した上で、各ワイヤ１７、１８の一端をドラム１５に接続する。また、ドラムハウジング１４に対して駆動部１６を組み付ける。ブラケット２０とブラケット２１は任意のタイミングでガイドレール１１に取り付けられる。
【００２５】
続いてガイドレール１１とドラムハウジング１４を結合させる。この結合は、図６から図１０に示す段階を経て行われる。なお、図７から図１０は嵌合部３０を側面視したものであるが、ガイドレール１１については中央面１１ａの断面形状のみを示している。
【００２６】
まず、図６及び図７に示すように、ガイドレール１１の下端部とドラムハウジング１４の嵌合部３０をウインドレギュレータ１０の完成状態での位置関係に対して略垂直（ガイドレール１１を横向き）にし、中央面１１ａのうち嵌合溝１１ｄの両側部分を支点突起３０ｄと両側抜止突起３０ｅの上面に支持させながら、ガイドレール１１の下端面を角突起３０ｂの規制面３０ｆに当接させる。このとき嵌合溝１１ｄ内に中央抜止突起３０ｃが入る。この状態で、第１ワイヤ１７と第２ワイヤ１８のうちドラム１５に接続されていない側の端部をスライダベース１２のワイヤ接続部１２ａに接続する。第１ワイヤ１７はワイヤガイド１３のガイド溝１３ａに掛け回される。このとき、第１ワイヤ１７と第２ワイヤ１８が接続するドラム１５とスライダベース１２がガイドレール１１の長手方向の延長上に位置しておらず、このドラム１５とスライダベース１２の位置関係によって、第１ワイヤ１７と第２ワイヤ１８はそれぞれワイヤ挿通スリット１４ｂと不図示のワイヤ挿通スリットを通してドラムハウジング１４の側方（ガイドレール１１が延びる側）に向けて延設されて、ウインドレギュレータ１０の完成状態よりも短絡したワイヤ経路になる。これにより第１ワイヤ１７と第２ワイヤ１８を弛緩した状態で組み付けることができる。
【００２７】
続いて、図７に矢印Ｆ１で示す方向にガイドレール１１を引き起こす。この引き起こし動作はガイドレール１１の下端部と支点突起３０ｄの当接箇所を支点として行われ、中央抜止突起３０ｃが嵌合溝１１ｄを通過することによってガイドレール１１を嵌合部３０と干渉させずに傾動させることができる。図７の状態から図８の状態のようにガイドレール１１の引き起こし角が大きくなるにつれて、ガイドレール１１側に支持されるスライダベース１２及びワイヤガイド１３とドラムハウジング１４側に支持されるドラム１５の相対位置が変化し、これに応じて第１ワイヤ１７と第２ワイヤ１８が徐々に張られていく。つまり、ワイヤ張力に抗しながらガイドレール１１の引き起こし動作が行われる。
【００２８】
ガイドレール１１は、中央面１１ａが角突起３０ｂの規制面３０ｆに沿う図９の位置まで引き起こされる。ここで第１ワイヤ１７と第２ワイヤ１８の延設方向はガイドレール１１の長手方向に沿う方向となる。この状態では、中央面１１ａの下端部が支点突起３０ｄの上面に乗っており、ガイドレール１１の長手方向におけるワイヤガイド１３及びスライダベース１２とドラム１５の距離が大きくなっているため、第１ワイヤ１７と第２ワイヤ１８に作用する張力が大きくなっている。
【００２９】
図９の状態から中央面１１ａが規制面３０ｆから離れる方向（Ｆ２）にガイドレール１１をスライドさせると、中央面１１ａの下端部が支点突起３０ｄと重なる位置から嵌合溝３０ｇの延長上に移動し、図１０に示すように、支点突起３０ｄによる移動規制を受けなくなったガイドレール１１が、その下端面を当付面３０ａに当接させる方向（Ｆ３）に移動する。この移動は、第１ワイヤ１７と第２ワイヤ１８の張力を小さくさせる方向への移動であるため、操作に負荷がかからない。そして、図１０のようにガイドレール１１の下端面が当付面３０ａに当接すると、該当接によってガイドレール１１の長手方向におけるドラムハウジング１４とガイドレール１１の相対位置が定まる。また、ガイドレール１１の中央面１１ａが嵌合溝３０ｇと嵌合溝３０ｈに嵌合することによって、ドラムハウジング１４に対してガイドレール１１は厚み方向への移動が規制され、ガイドレール１１の一対の側面１１ｂが角突起３０ｂの両側面に当接することによって、ドラムハウジング１４に対してガイドレール１１は幅方向への移動が規制される。図１０の状態は図１に示すウインドレギュレータ１０の完成状態に対応しており、第１ワイヤ１７と第２ワイヤ１８には適切な大きさの張力が作用している。
【００３０】
以上のように、本実施形態のウインドレギュレータ１０では、ドラムハウジング１４の嵌合部３０に対して横方向からガイドレール１１を当て付けた状態（図６、図７）で第１ワイヤ１７と第２ワイヤ１８を組み付ける。この状態ではワイヤ経路が短絡されるため、第１ワイヤ１７と第２ワイヤ１８を弛緩した状態で容易に組み付けることができる。続いてドラムハウジング１４の嵌合部３０（支点突起３０ｄ）を支点にガイドレール１１を引き起こす動作によって各ワイヤ１７、１８を張った状態にさせ、さらに中央面１１ａを嵌合溝３０ｇと嵌合溝３０ｈに嵌合させて、ドラムハウジング１４へのガイドレール１１の嵌合を完了させる。このような工程で組み付けを行うことにより、ワイヤ組み付け時の負荷が小さく、かつガイドレール１１とドラムハウジング１４の嵌合を容易に行うことができ、ウインドレギュレータ１０を製造において優れた作業性を得ることができる。
【００３１】
また、支点突起１１ｄを支点としてガイドレール１１の引き起こし動作を行うことにより、ドラムハウジング１４とガイドレール１１の嵌合を効率的に行うことができると共に、ガイドレール１１が嵌合部３０の他の部分と干渉して変形してしまうことを防止できる。
【００３２】
図１１ないし図１５は、ウインドレギュレータにおけるガイドレール１１とドラムハウジング１４の結合構造及び結合工程の第２の実施形態を示している。この実施形態は、ドラムハウジング１４の嵌合部３０に支点突起３０ｄが設けられていない点を除いて、先の実施形態と同様の構造を有しており、共通する部分については図１ないし図１２と同じ符号で示している。
【００３３】
ウインドレギュレータの組み立てに際しては、先の実施形態と同じく、ガイドレール１１とドラムハウジング１４を結合させる前の段階で、ガイドレール１１へのスライダベース１２とワイヤガイド１３の組み付けや、ドラム１５への第１ワイヤ１７と第２ワイヤ１８の接続を行っておく。
【００３４】
スライダベース１２のワイヤ接続部１２ａへの第１ワイヤ１７と第２ワイヤ１８の接続は、図１２のように、ガイドレール１１の長手方向においてガイドレール１１とドラムハウジング１４の嵌合部３０が重なる位置関係で行う。この状態では、第１ワイヤ１７と第２ワイヤ１８の経路がウインドレギュレータの完成状態に比べて短絡されるため、各ワイヤ１７、１８を弛緩した状態で組み付けることができる。
【００３５】
続いて、図１２の状態から、ガイドレール１１の長手方向に沿って該ガイドレール１１の下端面側（Ｆ１１方向）に向けて、第１ワイヤ１７と第２ワイヤ１８の張力に抗しながらドラムハウジング１４を移動させる。このドラムハウジング１４の移動は、ガイドレール１１の下端面が、嵌合部３０における中央抜止突起３０ｃの上端面を超える図１３の位置まで行う。
【００３６】
図１３の状態に達したところで、ドラムハウジング１４をガイドレール１１の厚み方向（Ｆ１２）に移動させ、図１４のようにガイドレール１１の中央面１１ａを嵌合溝３０ｇと嵌合溝３０ｈの延長上に位置させる。ここで第１ワイヤ１７と第２ワイヤ１８の張力に抗する方向への力の付与を解除すると、ガイドレール１１の下端面に嵌合部３０の当付面３０ａが当接する方向（Ｆ１３）にドラムハウジング１４が移動する。
【００３７】
その結果、図１５に示すように中央面１１ａの下端部が嵌合溝３０ｇ内に嵌合し（角突起３０ｂの規制面３０ｆと両側抜止突起３０ｅに挟まれ）、また中央面１１ａのうち嵌合溝１１ｄの上縁に臨む部分が嵌合溝３０ｈ内に入り込んで、ガイドレール１１とドラムハウジング１４の嵌合が完了する。図１５の状態では、ガイドレール１１の下端面と当付面３０ａの当接によって長手方向へのガイドレール１１の位置が定まり、第１ワイヤ１７と第２ワイヤ１８には適切な大きさの張力が作用している。また、中央面１１ａが嵌合溝３０ｇと嵌合溝３０ｈに嵌合することによって、ドラムハウジング１４に対してガイドレール１１は厚み方向への移動が規制され、一対の側面１１ｂが角突起３０ｂの両側面に当接することによって、ドラムハウジング１４に対してガイドレール１１は幅方向への移動が規制される。
【００３８】
以上の第２の実施形態においても、ガイドレール１１とドラムハウジング１４の非結合状態で第１ワイヤ１７と第２ワイヤ１８を弛緩させて組み付けてから、ワイヤ張力に抗しながらガイドレール１１の長手方向にガイドレール１１とドラムハウジング１４を相対移動させ、さらに中央面１１ａを嵌合溝３０ｇと嵌合溝３０ｈに嵌合させることにより、ワイヤ組み付け時の負荷が小さく、かつガイドレール１１とドラムハウジング１４を簡単に嵌合させることができ、ウインドレギュレータの製造作業性が向上する。なお、以上では、ガイドレール１１に対してドラムハウジング１４を移動させて結合を行うものとして説明したが、ドラムハウジング１４を基準としてガイドレール１１を移動させてもよい。
【００３９】
第２の実施形態では、ドラムハウジング１４の嵌合部３０に対してガイドレール１１の端部を嵌合させる際に、第１の実施形態のようにガイドレール１１を角度変化させずに、ガイドレール１１とドラムハウジング１４をガイドレール１１の長手方向に相対移動させるため、ワイヤ挿通スリット１４ｂは、ドラムハウジング１４の上面（当付面３０ａ）側にのみ開口した形態にすることも可能である。但し、ドラムハウジング１４の側面にも開口する図示形態のワイヤ挿通スリット１４ｂの方が、組み付け作業の行い易さの点で優れている。
【００４０】
以上、図示実施形態に基づき本発明を説明したが、本発明は図示した実施形態に限定されるものではなく、発明の要旨を逸脱しない限りにおいて改良や改変が可能である。
【符号の説明】
【００４１】
１０  ウインドレギュレータ
１１  ガイドレール
１１ａ  中央面
１１ｂ  側面
１１ｃ  フランジ
１１ｄ  嵌合溝
１２  スライダベース
１２ａ  ワイヤ接続部
１３  ワイヤガイド
１３ａ  ガイド溝
１４  ドラムハウジング
１４ａ  凹部
１４ｂ  ワイヤ挿通スリット
１５  ドラム
１５ａ  ワイヤ巻取り溝
１５ｂ  回転伝達孔
１６  駆動部
１６ａ  駆動軸
１７  第１ワイヤ
１８  第２ワイヤ
２０  ２１  ブラケット
２２  モータ
２３  固定ビス
２５  支持軸
３０  嵌合部
３０ａ  当付面
３０ｂ  角突起（第１の突起）
３０ｃ中央抜止突起（中央突起）
３０ｄ  支点突起（第１の突起、段部）
３０ｅ  両側抜止突起（第２の突起）
３０ｆ  規制面
３０ｇ  ３０ｈ  嵌合溝
【図１】
0005944882.tif 000002
【図２】
0005944882.tif 000003
【図３】
0005944882.tif 000004
【図４】
0005944882.tif 000005
【図５】
0005944882.tif 000006
【図６】
0005944882.tif 000007
【図７】
0005944882.tif 000008
【図８】
0005944882.tif 000009
【図９】
0005944882.tif 000010
【図１０】
0005944882.tif 000011
【図１１】
0005944882.tif 000012
【図１２】
0005944882.tif 000013
【図１３】
0005944882.tif 000014
【図１４】
0005944882.tif 000015
【図１５】
0005944882.tif 000016